(57)【要約】【課題】  ＰＯＮシステムにおいて、上り方向の帯域を有効に利用できる構成を実現する。【解決手段】  ＯＬＴ１１の上位ネットワーク状態監視部１１０７が、障害が発生したＥｔｈｅｒｎｅｔ（登録商標）インタフェース部１１０１を検知し、転送不要ＶＰＩ判定部１１０８に通知し、転送不要ＶＰＩ判定部１１０８が障害発生に係るＶＰＩ値を判定し、Ｆｉｌｔｅｒｉｎｇ  ＶＰＩ  ＰＬＯＡＭメッセージ挿入部１１０９が障害発生に係るＶＰＩ値を通知するメッセージを生成し、ＯＮＵ１２に当該メッセージを送信し、ＯＮＵ１２では、メッセージに記された障害発生に係るＶＰＩ値をフィルタリングＶＰＩ記憶部１２０７に記憶するとともに、ＶＰフィルタリング部１２０６がフィルタリングＶＰＩ記憶部１２０７に記憶されたＶＰＩ値を参照し、同じＶＰＩ値の上り方向のＡＴＭセルがあった場合は、当該ＡＴＭセルを廃棄して上り方向への不要なＡＴＭセル転送を回避する。【選択図】        図２
2006186450.tif 000002
【特許請求の範囲】
【請求項１】
上位ネットワーク及び少なくとも一つ以上の下位の通信装置と通信可能であり、上位ネットワークと下位の通信装置との間に少なくとも一つ以上のパスが存在し、下位の通信装置からいずれかのパスにより送信されたデータを受信し、受信したデータを対応するパスにて上位ネットワークに対して転送する中継装置であって、
上位ネットワークとの間の通信状態を監視し、上位ネットワークへのデータ転送が不能となった転送不能パスを検出する状態監視検出部と、
前記状態監視検出部により検出された転送不能パスを下位の通信装置に通知するとともに転送不能パス向けのデータ送信を制限するよう下位の通信装置に指示する転送不能通知メッセージを生成するメッセージ生成部と、
前記メッセージ生成部により生成された転送不能通知メッセージを下位の通信装置のそれぞれに送信するメッセージ送信部とを有することを特徴とする中継装置。
【請求項２】
前記メッセージ生成部は、
前記状態監視検出部により転送不能パスの回復が検出されるまで、定期的に転送不能通知メッセージを生成し、
前記メッセージ送信部は、
前記メッセージ生成部により転送不能通知メッセージが生成される度に、生成された転送不能通知メッセージを下位の通信装置のそれぞれに送信することを特徴とする請求項１に記載の中継装置。
【請求項３】
前記中継装置は、
ＰＯＮ（Ｐａｓｓｉｖｅ  Ｏｐｔｉｃａｌ  Ｎｅｔｗｏｒｋ）システムにおけるＯＬＴ（Ｏｐｔｉｃａｌ  Ｌｉｎｅ  Ｔｅｒｍｉｎａｌ）装置であることを特徴とする請求項１に記載の中継装置。
【請求項４】
前記中継装置は、
Ｅｔｈｅｒｎｅｔ（登録商標）フレームとＡＴＭセルとの間のデータ変換が可能であり、上位ネットワークとの間ではＥｔｈｅｒｎｅｔ（登録商標）フレームを送受信し、下位の通信装置との間ではＡＴＭセルを送受信するＯＬＴ装置であることを特徴とする請求項３に記載の中継装置。
【請求項５】
前記メッセージ生成部は、
ＰＯＮ（Ｐａｓｓｉｖｅ  Ｏｐｔｉｃａｌ  Ｎｅｔｗｏｒｋ）システムにおけるＰＬＯＡＭ（Ｐｈｙｓｉｃａｌ  Ｌａｙｅｒ  Ｏｐｅｒａｔｉｏｎ  Ａｄｍｉｎｉｓｔｒａｔｉｏｎ  ａｎｄ  Ｍａｉｎｔｅｎａｎｃｅ）メッセージ形式にて転送不能通知メッセージを生成し、
前記メッセージ送信部は、
ＰＬＯＡＭメッセージの送信のために設けられたＰＬＯＡＭ送信帯域を用いて前記転送不能通知メッセージを下位の通信装置のそれぞれに送信することを特徴とする請求項１
に記載の中継装置。
【請求項６】
上位ネットワークへのデータ転送を行う中継装置と通信可能であり、上位ネットワーク及び中継装置との間に少なくとも一つ以上のパスが存在し、中継装置のデータ転送を介していずれかのパスによりデータを上位ネットワークに対して送信する通信装置であって、
中継装置から上位ネットワークへのデータ転送がいずれかのパスにおいて不能になった場合に、データ転送が不能になった転送不能パスを通知する転送不能通知メッセージを前記中継装置から受信するメッセージ受信部と、
中継装置に送信予定のデータの中から転送不能通知メッセージに示された転送不能パス向けのデータを判別し、判別した転送不能パス向けのデータを廃棄するフィルタリング部とを有することを特徴とする通信装置。
【請求項７】
前記メッセージ受信部は、
転送不能パスが回復するまで、定期的に、転送不能通知メッセージを前記中継装置から受信し、
前記フィルタリング部は、
前記メッセージ受信部が転送不能通知メッセージを一定期間受信しない場合に、転送不能パスが回復したと判断して、転送不能パス向けのデータの廃棄を終了することを特徴とする請求項６に記載の通信装置。
【請求項８】
前記通信装置は、
ＰＯＮ（Ｐａｓｓｉｖｅ  Ｏｐｔｉｃａｌ  Ｎｅｔｗｏｒｋ）システムにおけるＯＮＵ（Ｏｐｔｉｃａｌ  Ｎｅｔｗｏｒｋ  Ｕｎｉｔ）装置であることを特徴とする請求項６に記載の通信装置。
【請求項９】
前記通信装置は、
少なくとも一つ以上の下位の端末装置又は下位ネットワークに接続され、
Ｅｔｈｅｒｎｅｔ（登録商標）フレームとＡＴＭセルとの間のデータ変換が可能であり、下位の端末装置又は下位ネットワークとの間ではＥｔｈｅｒｎｅｔ（登録商標）フレームを送受信し、中継装置との間ではＡＴＭセルを送受信するＯＮＵ装置であることを特徴とする請求項８に記載の通信装置。
【請求項１０】
前記メッセージ受信部は、
ＰＯＮ（Ｐａｓｓｉｖｅ  Ｏｐｔｉｃａｌ  Ｎｅｔｗｏｒｋ）システムにおけるＰＬＯＡＭ（Ｐｈｙｓｉｃａｌ  Ｌａｙｅｒ  Ｏｐｅｒａｔｉｏｎ  Ａｄｍｉｎｉｓｔｒａｔｉｏｎ  ａｎｄ  Ｍａｉｎｔｅｎａｎｃｅ）メッセージ形式にて生成された転送不能通知メッセージをＰＬＯＡＭメッセージの送信のために設けられたＰＬＯＡＭ送信帯域から抽出して受信することを特徴とする請求項６に記載の通信装置。
【請求項１１】
上位ネットワーク及び少なくとも一つ以上の下位の通信装置と通信可能であり、上位ネットワークと下位の通信装置との間に少なくとも一つ以上のパスが存在し、下位の通信装置からいずれかのパスにより送信されたデータを受信し、受信したデータを対応するパスにて上位ネットワークに対して転送する通信方法であって、
上位ネットワークとの間の通信状態を監視し、上位ネットワークへのデータ転送が不能となった転送不能パスを検出する状態監視検出ステップと、
前記状態監視検出ステップにより検出された転送不能パスを下位の通信装置に通知するとともに転送不能パス向けのデータ送信を制限するよう下位の通信装置に指示する転送不能通知メッセージを生成するメッセージ生成ステップと、
前記メッセージ生成ステップにより生成された転送不能通知メッセージを下位の通信装置のそれぞれに送信するメッセージ送信ステップとを有することを特徴とする通信方法。
【請求項１２】
上位ネットワークへのデータ転送を行う中継装置と通信可能であり、上位ネットワーク及び中継装置との間に少なくとも一つ以上のパスが存在し、中継装置のデータ転送を介していずれかのパスによりデータを上位ネットワークに対して送信する通信方法であって、
中継装置から上位ネットワークへのデータ転送がいずれかのパスにおいて不能になった場合に、データ転送が不能になった転送不能パスを通知する転送不能通知メッセージを前記中継装置から受信するメッセージ受信ステップと、
中継装置に送信予定のデータの中から転送不能通知メッセージに示された転送不能パス向けのデータを判別し、判別した転送不能パス向けのデータを廃棄するフィルタリングステップとを有することを特徴とする通信方法。
【発明の詳細な説明】
【技術分野】
【０００１】
本発明は、１台の親局（ＯＬＴ：Ｏｐｔｉｃａｌ  Ｌｉｎｅ  Ｔｅｒｍｉｎａｌ）と複数台の子局（ＯＮＵ：Ｏｐｔｉｃａｌ  Ｎｅｔｗｏｒｋ  Ｕｎｉｔ）が光多重分岐器（光スプリッタ）を介して接続され、Ｅｔｈｅｒｎｅｔ（登録商標）フレームをＡＴＭセルに変換して転送する（Ｅｔｈｅｒｎｅｔ（登録商標）  ｏｖｅｒ  ＡＴＭ）光分岐ネットワーク（ＰＯＮ：Ｐａｓｓｉｖｅ  Ｏｐｔｉｃａｌ  Ｎｅｔｗｏｒｋ）に関する。
【背景技術】
【０００２】
特開２００３−１６９０６７号公報に示されるようにＰＯＮシステムでは１台のＯＬＴと複数台のＯＮＵが光スプリッタを介して接続される。なお、以下、ＯＬＴからＯＮＵへの方向を下り方向とし、ＯＮＵからＯＬＴへの方向を上り方向とする。
【０００３】
ＯＬＴは上位ネットワークと接続され、上位ネットワークから受信したＥｔｈｅｒｎｅｔ（登録商標）フレームを予め設定されたＶＬＡＮ  ＩＤ（ＶＩＤ）とＶＰＩ（Ｖｉｒｔｕａｌ  Ｐａｔｈ  Ｉｄｅｎｔｉｆｉｅｒ）の関連付けに従ってＡＴＭセルに変換し、ＰＯＮに送信する。また、ＯＬＴはＰＯＮから受信したＡＴＭセルをＥｔｈｅｒｎｅｔ（登録商標）フレームに変換し、上位ネットワークに送信する。上位ネットワークではＥｔｈｅｒｎｅｔ（登録商標）フレームに基づいてデータ転送が行われる。
【０００４】
ＯＮＵはユーザー端末またはローカルエリアネットワーク（ＬＡＮ）と接続され、端末またはＬＡＮから受信したＥｔｈｅｒｎｅｔ（登録商標）フレームを予め設定されたＶＩＤとＶＰＩの関連付けに従ってＡＴＭセルに変換し、ＰＯＮに送信する。またＯＮＵはＰＯＮから受信したＡＴＭセルをＥｔｈｅｒｎｅｔ（登録商標）フレームに変換し、ユーザーネットワークに送信する。
【特許文献１】特開２００３−１６９０６７号公報
【発明の開示】
【発明が解決しようとする課題】
【０００５】
このようなネットワークシステムにおいてＯＬＴの上位ネットワークインタフェースの１つで障害が発生してＥｔｈｅｒｎｅｔ（登録商標）フレーム転送が不可能になった場合の動作を図８に示す。
【０００６】
図８の例では、複数のＯＮＵ９２が光スプリッタ９３を介してＯＬＴ９１に接続されている。また、Ｅｔｈｅｒｎｅｔ（登録商標）１のリンク断が発生した場合を想定している。なお、Ｅｔｈｅｒｎｅｔ（登録商標）１〜３は、ＯＬＴ９１が上位ネットワークに接続しているリンクである。
【０００７】
従来のシステムでは、ＯＬＴ９１の上位ネットワークポートが使用不可状態になったことをＯＮＵ９２に通知しない。このため、ＯＮＵ９２はＯＬＴ９１の上位ネットワークポートの転送可否がわからないため、全てのＡＴＭセルを上り方向に転送する。つまり、上位ネットワークポートが使用不可状態であってもＯＮＵ９２は該当するＶＰＩのＡＴＭセルを上り方向に送信していた。この場合、そのポートから上位ネットワークへ送信されるはずのＥｔｈｅｒｎｅｔ（登録商標）フレームを構成する上りＡＴＭセルはＯＬＴ上で廃棄される。これらのＡＴＭセルはＯＬＴ９１上で廃棄されるるため、このような転送不要なＡＴＭセルを上り方向に送信することで上り帯域を無駄に使う結果となっていた。
【０００８】
図８の例では、上位ネットワークポート１宛のＡＴＭセル１は、ＯＬＴの上位ネットワークポート１がリンク断になってＥｔｈｅｒｎｅｔ（登録商標）フレーム転送が不可であるためバッファに蓄積されるが、オーバーフローした際に廃棄される。従って、上位ネットワークポート１宛のＡＴＭセルは転送不要なセルであり、上り方向の帯域を無駄に使っているということが言える。
【０００９】
本発明は、このような従来技術の問題を解消することを主な目的としており、上り方向への不要なＡＴＭセル転送を回避することにより、上り方向の帯域を有効に利用できる構成を実現することを主な目的とする。
【課題を解決するための手段】
【００１０】
本発明に係る中継装置は、
上位ネットワーク及び少なくとも一つ以上の下位の通信装置と通信可能であり、上位ネットワークと下位の通信装置との間に少なくとも一つ以上のパスが存在し、下位の通信装置からいずれかのパスにより送信されたデータを受信し、受信したデータを対応するパスにて上位ネットワークに対して転送する中継装置であって、
上位ネットワークとの間の通信状態を監視し、上位ネットワークへのデータ転送が不能となった転送不能パスを検出する状態監視検出部と、
前記状態監視検出部により検出された転送不能パスを下位の通信装置に通知するとともに転送不能パス向けのデータ送信を制限するよう下位の通信装置に指示する転送不能通知メッセージを生成するメッセージ生成部と、
前記メッセージ生成部により生成された転送不能通知メッセージを下位の通信装置のそれぞれに送信するメッセージ送信部とを有することを特徴とする。
【発明の効果】
【００１１】
本発明によれば、障害発生パスを通知することで、上り方向への不要なデータ送信をなくすことができ、このため、上り通信帯域を有効に利用することができる。
【発明を実施するための最良の形態】
【００１２】
実施の形態１．
図１は、本実施の形態に係るＯＬＴ１１及びＯＮＵ１２を含むＥｔｈｅｒｎｅｔ（登録商標）フレーム転送ネットワークシステムの全体を概略的に示すブロック図であり、図１に示すシステムでは、Ｅｔｈｅｒｎｅｔ（登録商標）  ｏｖｅｒ  ＡＴＭ  ＰＯＮ方式が採用される。
【００１３】
図２は本実施の形態に係るＯＬＴ１１及びＯＮＵ１２の構成例を示すブロック図である。なお、ＯＬＴ１１は、中継装置の例であり、ＯＮＵ１２は、通信装置の例である。
【００１４】
図１において、ローカルエリアネットワーク（ＬＡＮ）３や端末４がＰＯＮシステム１、および上位ネットワーク２を介して相互に接続されている。ＰＯＮシステム１内でＯＬＴ１１は上位ネットワーク２と接続する側に設けられ、幹線ファイバ、光スプリッタ、および支線ファイバを介して複数のＯＮＵ１２と接続されている。ＯＮＵ１２はＬＡＮ３や端末４などと接続されている。
【００１５】
ＰＯＮシステム１内では下り方向にはＡＴＭセルを用いた時分割多重伝送により、また、上り方向にはＡＴＭセルの各ＯＮＵ１２への割当と、各ＯＮＵ１２からのＡＴＭセルの送出タイミングをＯＬＴ１１が制御して上り帯域を複数のＯＮＵ１２で分配することにより、複数の端末またはＬＡＮを１台のＯＬＴ１１に収容して上位ネットワーク２に接続し、上位ネットワーク２およびＰＯＮシステム１によりＥｔｈｅｒｎｅｔ（登録商標）フレーム転送サービスを提供する。
【００１６】
図２において、このＰＯＮシステムにおけるＯＬＴ１１はＥｔｈｅｒｎｅｔ（登録商標）インタフェース部１１０１、上位ネットワーク状態監視部１１０７、セル分解組立部１１０２、ＶＩＤ／ＶＰＩ変換部１１０３、ＡＴＭスイッチ部１１０４、ＡＴＭ  ＰＯＮ終端部１１０５、転送不要ＶＰＩ判定部１１０８、Ｆｉｌｔｅｒｉｎｇ  ＶＰＩ  ＰＬＯＡＭ  （Ｐｈｙｓｉｃａｌ  Ｌａｙｅｒ  Ｏｐｅｒａｔｉｏｎ  Ａｄｍｉｎｉｓｔｒａｔｉｏｎ  ａｎｄ  Ｍａｉｎｔｅｎａｎｃｅ）メッセージ挿入部１１０９、および光送受信部１１０６を有する。ここでこのＯＬＴが接続される上位ネットワーク２はＥｔｈｅｒｎｅｔ（登録商標）フレームに基づくデータ転送を行うものである。
【００１７】
ＯＮＵ１２は光送受信部１２０１、ＡＴＭ  ＰＯＮ終端部１２０２、ＶＰフィルタリング部１２０６、フィルタリングＶＰＩ記憶部１２０７、セル分解組立部１２０３、ＶＩＤ／ＶＰＩ変換部１２０４、およびＥｔｈｅｒｎｅｔ（登録商標）インタフェース部１２０５を有する。
【００１８】
この実施の形態におけるＰＯＮシステムは従来のシステムにはなかった上位ネットワーク状態監視部、転送不要ＶＰＩ判定部、およびＦｉｌｔｅｒｉｎｇ  ＶＰＩ  ＰＬＯＡＭメッセージ挿入部をＯＬＴに有し、またＶＰフィルタリング部、およびフィルタリングＶＰＩ記憶部をＯＮＵに有する。
【００１９】
ＯＬＴ１１のＥｔｈｅｒｎｅｔ（登録商標）インタフェース部１１０１は、上位ネットワーク２からの下り方向Ｅｔｈｅｒｎｅｔ（登録商標）フレーム入力に対してＥｔｈｅｒｎｅｔ（登録商標）フレームの受信機能を提供し、フレーム構成はそのままにセル分解組立部１１０２に送信する。また、セル分解組立部１１０２から受信した上り方向Ｅｔｈｅｒｎｅｔ（登録商標）フレームを上位ネットワークに送信する。
【００２０】
ＯＬＴのセル分解組立部１１０２は、Ｅｔｈｅｒｎｅｔ（登録商標）インタフェース部１１０１から下り方向Ｅｔｈｅｒｎｅｔ（登録商標）フレームを受信し、受信したＥｔｈｅｒｎｅｔ（登録商標）フレームのＶＩＤ情報をＶＩＤ／ＶＰＩ変換部１１０３に通知する。またＶＩＤ／ＶＰＩ変換部１１０３から受信したＶＰＩ値を用いて下り方向Ｅｔｈｅｒｎｅｔ（登録商標）フレームをＡＡＬ（ＡＴＭ  ａｄａｐｔａｔｉｏｎ  ｌａｙｅｒ）処理によりＡＴＭセル化し、ＡＴＭスイッチ部１１０４に送信する。また、ＡＴＭスイッチ部１１０４から上り方向ＡＴＭセルを受信し、ＡＡＬ処理によりＥｔｈｅｒｎｅｔ（登録商標）フレームに変換し、Ｅｔｈｅｒｎｅｔ（登録商標）インタフェース部１１０１に送信する。ただしＥｔｈｅｒｎｅｔ（登録商標）インタフェース部１１０１で上位ネットワークの障害を検出し、転送不可の状態の場合はＥｔｈｅｒｎｅｔ（登録商標）フレーム組立を行わずＡＴＭセルを廃棄する。
【００２１】
ＯＬＴのＶＩＤ／ＶＰＩ変換部１１０３は、セル分解組立部１１０２より通知されたＶＩＤ値に対し、予め設定されたＶＩＤ／ＶＰＩ関連付け情報に基づいて、対応するＶＰＩ値をセル分解組立部１１０２に返す。
【００２２】
ＯＬＴのＡＴＭスイッチ部１１０４は、セル分解組立部１１０２から下り方向ＡＴＭセルを受信し、ＡＴＭ  ＰＯＮ終端部１１０５に送信する。また、ＡＴＭ  ＰＯＮ終端部１１０５から、上り方向ＡＴＭセルを受信し、予め設定されたＡＴＭクロスコネクト情報に基づいて、該当するセル分解組立部にＡＴＭセルを送信する。
【００２３】
ＯＬＴのＡＴＭ  ＰＯＮ終端部１１０５は、ＡＴＭスイッチ部１１０４から受信した下り方向ＡＴＭセルを、ＩＴＵ−Ｔ  Ｇ９８３．１に従ったＰＯＮフレームのＡＴＭセルスロット位置に割当てて、光送受信部１１０６に送信する。さらに、ＩＴＵ−Ｔ  Ｇ９８３．１に示される下りＰＬＯＡＭセルをＰＬＯＡＭスロットに挿入する。また、光送受信部１１０６から受信したＩＴＵ−Ｔ  Ｇ９８３．１に従ったＰＯＮフレームからＡＴＭセルを抽出し、ＡＴＭスイッチ部１１０４に送信する。さらにＰＯＮフレームからＰＬＯＡＭセルを抽出する。
【００２４】
ＯＬＴの光送受信部１１０６はＡＴＭ  ＰＯＮ終端部１１０５から受信した電気信号を光信号に変換して幹線ファイバに送信する。また幹線ファイバから受信した光信号を電気信号に変換してＡＴＭ  ＰＯＮ終端部１１０５に送信する。
【００２５】
ＯＬＴの上位ネットワーク状態監視部１１０７は、各Ｅｔｈｅｒｎｅｔ（登録商標）インタフェース部１１０１の上位ネットワーク状態を監視し、接続断等の障害発生を検知し、障害発生によりデータ転送不可となっているパス（障害発生パス）の情報、つまり、Ｅｔｈｅｒｎｅｔ（登録商標）インタフェース部１１０１の情報を転送不要ＶＰＩ判定部１１０８に通知する。
【００２６】
ＯＬＴの転送不要ＶＰＩ判定部１１０８は、上位ネットワーク状態監視部１１０７から受信したデータ転送不可となっているＥｔｈｅｒｎｅｔ（登録商標）インタフェース部１１０１の情報と、ＶＩＤ／ＶＰＩ変換部１１０３から受信した予め設定されたＶＩＤ／ＶＰＩ関連付け情報に基づいて、上り方向に転送不要なＶＰＩ値を判定し、Ｆｉｌｔｅｒｉｎｇ  ＶＰＩ  ＰＬＯＡＭメッセージ挿入部１１０９に通知する。
【００２７】
ＯＬＴのＦｉｌｔｅｒｉｎｇ  ＶＰＩ  ＰＬＯＡＭメッセージ挿入部１１０９は、転送不要ＶＰＩ判定部１１０８から受信したＶＰＩ値に従って一定周期毎にＦｉｌｔｅｒｉｎｇ  ＶＰＩ  ＰＬＯＡＭメッセージをＡＴＭ  ＰＯＮ終端部１１０５に通知する。Ｆｉｌｔｅｒｉｎｇ  ＶＰＩ  ＰＬＯＡＭメッセージを受信したＡＴＭ  ＰＯＮ終端部１１０５はＦｉｌｔｅｒｉｎｇ  ＶＰＩ  ＰＬＯＡＭメッセージを含むＰＬＯＡＭセルを下りＰＯＮフレームのＰＬＯＡＭスロットに挿入する。
【００２８】
Ｆｉｌｔｅｒｉｎｇ  ＶＰＩ  ＰＬＯＡＭメッセージのフォーマットを図３に示す。Ｆｉｌｔｅｒｉｎｇ  ＶＰＩ  ＰＬＯＡＭメッセージはＩＴＵ−Ｔ  Ｇ９８３．１に示される他のＰＬＯＡＭメッセージと同様、Ｍｅｓｓａｇｅ＿ＰＯＮ＿ＩＤ、Ｍｅｓｓａｇｅ＿ＩＤ、およびＣＲＣを有し、さらに、転送不要ＶＰＩ判定部で転送不要と判定されたＶＰＩ値をパラメータに持つことを特徴とする。
【００２９】
ＯＬＴに上記のような上位ネットワーク状態監視部、転送不要ＶＰＩ判定部、およびＦｉｌｔｅｒｉｎｇ  ＶＰＩ  ＰＬＯＡＭメッセージ挿入部を有し、図３に示すようなＦｉｌｔｅｒｉｎｇ  ＶＰＩ  ＰＬＯＡＭセルを用いることで、ＯＬＴで廃棄されるＶＰの情報を下りユーザー帯域を使わずにＯＮＵに通知することができる。
【００３０】
なお、Ｆｉｌｔｅｒｉｎｇ  ＶＰＩ  ＰＬＯＡＭメッセージは、障害発生通知メッセージの例である。
【００３１】
ここで、ＯＬＴの構成要素のうち、上位ネットワーク状態監視部１１０７及び転送不要ＶＰＩ判定部１１０８は状態監視検出部の例であり、Ｆｉｌｔｅｒｉｎｇ  ＶＰＩ  ＰＬＯＡＭメッセージ挿入部１１０９はメッセージ生成部の例であり、ＡＴＭ  ＰＯＮ終端部１１０５と光送受信部１１０６は、メッセージ送信部の例である。
【００３２】
ＯＮＵの光送受信部１２０１は、支線ファイバから受信した光信号を電気信号に変換してＡＴＭ  ＰＯＮ終端部１２０２に送信する。また、ＡＴＭ  ＰＯＮ終端部１２０２から受信した電気信号を光信号に変換して支線ファイバに送信する。
【００３３】
ＯＮＵのＡＴＭ  ＰＯＮ終端部１２０２は、光送受信部１２０１から受信したＩＴＵ−Ｔ  Ｇ９８３．１に従ったＰＯＮフレームからＡＴＭセルを抽出し、セル分解組立部１２０３に送信する。さらにＰＯＮフレームからＰＬＯＡＭセルを抽出する。受信したＰＬＯＡＭセルからＦｉｌｔｅｒｉｎｇ  ＶＰＩ  ＰＬＯＡＭメッセージを抽出した場合、フィルタリングＶＰＩ記憶部１２０７にＦｉｌｔｅｒｉｎｇ  ＶＰＩ  ＰＬＯＡＭメッセージを転送する。また、ＶＰフィルタリング部１２０６から上り方向ＡＴＭセルを受信し、ＩＴＵ−Ｔ  Ｇ９８３．１に従ったＯＬＴからの上り帯域制御によって割当てられたＡＴＭスロット位置に挿入して光送受信部１２０１に送信する。さらに、ＩＴＵ−Ｔ  Ｇ９８３．１に示される上りＰＬＯＡＭセルをＩＴＵ−Ｔ  Ｇ９８３．１に従ったＯＬＴから割当てられたＰＬＯＡＭスロットに挿入する。
【００３４】
ＯＮＵのＶＰフィルタリング部１２０６は、セル分解組立部１２０３から受信したＡＴＭセルのＶＰＩ値とフィルタリングＶＰＩ記憶部１２０７で記憶されているＶＰＩ値を比較し、不一致のＡＴＭセルはＡＴＭ  ＰＯＮ終端部１２０２に送信する。一致したＡＴＭセルは廃棄する。
【００３５】
ＯＮＵのフィルタリングＶＰＩ記憶部１２０７はＡＴＭ  ＰＯＮ終端部１２０２から受信したＦｉｌｔｅｒｉｎｇ  ＶＰＩ  ＰＬＯＡＭメッセージで通知されるＦｉｌｔｅｒｉｎｇ  ＶＰＩ値を記憶する。記憶されたＦｉｌｔｅｒｉｎｇ  ＶＰＩ値はそのＶＰＩ値を含むＦｉｌｔｅｒｉｎｇ  ＶＰＩ  ＰＬＯＡＭメッセージを受信するたびにエージングされるが、一定時間そのＶＰＩ値を含むＦｉｌｔｅｒｉｎｇ  ＶＰＩ  ＰＬＯＡＭメッセージを受信しない場合、エージングタイムアウトし、削除される。
【００３６】
ＯＮＵのセル分解組立部１２０３はＡＴＭ  ＰＯＮ終端部１２０２から下りＡＴＭセルを受信し、ＡＡＬ処理によりＥｔｈｅｒｎｅｔ（登録商標）フレームに変換して、Ｅｔｈｅｒｎｅｔ（登録商標）インタフェース部１２０５に送信する。またＥｔｈｅｒｎｅｔ（登録商標）インタフェース部１２０５から上りＥｔｈｅｒｎｅｔ（登録商標）フレームを受信し、受信したＥｔｈｅｒｎｅｔ（登録商標）フレームのＶＩＤ情報をＶＩＤ／ＶＰＩ変換部１２０４に通知する。またＶＩＤ／ＶＰＩ変換部１２０４から受信したＶＰＩ値を用いて下り方向Ｅｔｈｅｒｎｅｔ（登録商標）フレームをＡＡＬ処理によりＡＴＭセル化し、ＶＰフィルタリング部１２０６に送信する。
【００３７】
ＯＮＵのＶＩＤ／ＶＰＩ変換部１２０４はセル分解組立部１２０３より通知されたＶＩＤ値に対し、予め設定されたＶＩＤ／ＶＰＩ関連付け情報に基づいて、対応するＶＰＩ値をセル分解組立部１２０３に返す。
【００３８】
ＯＮＵのＥｔｈｅｒｎｅｔ（登録商標）インタフェース部１２０５は端末またはＬＡＮからの上り方向Ｅｔｈｅｒｎｅｔ（登録商標）フレーム入力に対してＥｔｈｅｒｎｅｔ（登録商標）フレームの受信機能を提供し、フレーム構成はそのままにセル分解組立部１２０３に送信する。また、セル分解組立部１２０３から受信した下り方向Ｅｔｈｅｒｎｅｔ（登録商標）フレームを端末またはＬＡＮに送信する。
【００３９】
ＯＮＵに上記のようなＶＰフィルタリング部１２０６、およびフィルタリングＶＰＩ記憶部１２０７を有し、ＡＴＭ  ＰＯＮ終端部１２０２にＦｉｌｔｅｒｉｎｇ  ＶＰＩ  ＰＬＯＡＭメッセージを識別する機能を有することで、ＯＬＴで廃棄されるセルをＯＮＵからＰＯＮに送信しないようにすることが可能となり、その分の上り帯域を他のＯＮＵが使用できるようになり、上り帯域を有効に活用できる。
【００４０】
なお、ＯＮＵの構成要素のうち、光送受信部１２０１及びＡＴＭ  ＰＯＮ終端部はメッセージ受信部の例に、ＶＰフィルタリング部はフィルタリング部の例である。
【００４１】
次に、本実施の形態に係るＯＬＴ１１及びＯＮＵ１２の動作を図４〜図６を参照して説明する。
【００４２】
図４は、本実施の形態に係るＯＬＴ１１の動作を示すフローチャート図である。
【００４３】
先ず、ステップＳ４０１において、上位ネットワーク状態監視部１１０７が、上位ネットワーク状態を監視し（状態監視検出ステップ）、障害が存在していなければ（Ｓ４０２でＮＯの場合）、そのまま監視し続け、いずれかのＥｔｈｅｒｎｅｔ（登録商標）インタフェース部に障害が存在する場合（Ｓ４０２でＹＥＳの場合）は、障害のあるＥｔｈｅｒｎｅｔ（登録商標）インタフェース部１１０１の情報を転送不要ＶＰＩ判定部１１０８に通知し、ステップＳ４０３に進む。
【００４４】
ステップＳ４０３では、転送不要ＶＰＩ判定部１１０８が、上位ネットワーク状態監視部１１０７から通知された障害のあるＥｔｈｅｒｎｅｔ（登録商標）インタフェース部１１０１の情報と、ＶＩＤ／ＶＰＩ変換部１１０３から受信した予め設定されたＶＩＤ／ＶＰＩ関連付け情報に基づいて、上り方向に転送不能なＶＰＩ値を判定し、判定したＶＰＩ値をＦｉｌｔｅｒｉｎｇ  ＶＰＩ  ＰＬＯＡＭメッセージ挿入部１１０９に通知する（状態監視検出ステップ）。
【００４５】
次に、ステップＳ４０４において、Ｆｉｌｔｅｒｉｎｇ  ＶＰＩ  ＰＬＯＡＭメッセージ挿入部１１０９は、転送不要ＶＰＩ判定部１１０８から通知されたＶＰＩ値に従ってＦｉｌｔｅｒｉｎｇ  ＶＰＩ  ＰＬＯＡＭメッセージを生成し、ＡＴＭ  ＰＯＮ終端部１１０５に転送する（メッセージ生成ステップ）。
【００４６】
最後に、ステップＳ４０５において、ＡＴＭ  ＰＯＮ終端部１１０５は、Ｆｉｌｔｅｒｉｎｇ  ＶＰＩ  ＰＬＯＡＭメッセージ挿入部１１０９からのＦｉｌｔｅｒｉｎｇ  ＶＰＩ  ＰＬＯＡＭメッセージを含むＰＬＯＡＭセルを下りＰＯＮフレームのＰＬＯＡＭスロットに挿入し、光送受信部１１０６が当該Ｆｉｌｔｅｒｉｎｇ  ＶＰＩ  ＰＬＯＡＭメッセージを含むＰＬＯＡＭセルを送信する（メッセージ送信ステップ）。
【００４７】
次に、図５及び図６のフローチャートを用いてＯＮＵ１２の動作を説明する。
【００４８】
先ず、ステップＳ５０１において、ＡＴＭ  ＰＯＮ終端部１２０２は、光送受信部１２０１からＰＯＮフレームを受信し、ＰＯＮフレームからＰＬＯＡＭセルを抽出しＰＬＯＡＭセルを受信する（メッセージ受信ステップ）。次に、ステップＳ５０２において、受信したＰＬＯＡＭセルにＦｉｌｔｅｒｉｎｇ  ＶＰＩ  ＰＬＯＡＭメッセージが含まれているか否かを判断し（メッセージ受信ステップ）、Ｆｉｌｔｅｒｉｎｇ  ＶＰＩ  ＰＬＯＡＭメッセージが含まれている場合はＦｉｌｔｅｒｉｎｇ  ＶＰＩ  ＰＬＯＡＭメッセージを抽出し、ステップＳ５０３において、フィルタリングＶＰＩ記憶部１２０７がＦｉｌｔｅｒｉｎｇ  ＶＰＩ  ＰＬＯＡＭメッセージを記憶する。Ｆｉｌｔｅｒｉｎｇ  ＶＰＩ  ＰＬＯＡＭメッセージが含まれていない場合は、ステップＳ５０４において、ＰＬＯＡＭ内のメッセージに従って処理を行う。
【００４９】
次に、ステップＳ６０１において、ＶＰフィルタリング部１２０６は、セル分解組立部１２０３からＡＴＭセルを受信したかどうか判断し、ＡＴＭセルを受信している場合は、ステップＳ６０２に進み、セル分解組立部１２０３から受信したＡＴＭセルのＶＰＩ値とフィルタリングＶＰＩ記憶部１２０７で記憶されているＶＰＩ値を比較する（フィルタリングステップ）。不一致の場合（Ｓ６０３でＮＯの場合）は、ステップＳ６０６において、当該ＡＴＭセルをＡＴＭ  ＰＯＮ終端部１２０２に送信し、通常通りの送信を行う。
【００５０】
一方、一致した場合（Ｓ６０３でＹＥＳの場合）は、ステップＳ６０４において、当該ＡＴＭセルを廃棄する（フィルタリングステップ）。
【００５１】
次に、他にＡＴＭセルが存在するかどうかを判断し（Ｓ６０５）、他のＡＴＭセルが存在する場合は、ステップＳ６０２に戻って、同様の処理を繰り返す。
【００５２】
次に、上記の動作の具体例を、図７に示す。
【００５３】
ＯＬＴ１１は上位ネットワークポートの状態を監視し、上位ネットワークポート１がリンク断であることを検出する。次に、上位ネットワークポート１に関連付けられたＶＰコネクションがＶＰコネクション１であることを判定し、全てのＯＮＵ１２に対してＦｉｌｔｅｒｉｎｇ  ＶＰＩ＝１であることを、図３に示すＰＬＯＡＭメッセージによって定周期で通知する。ＰＬＯＡＭメッセージを受信したＯＮＵ１２はＶＰＩ＝１の上り方向ＡＴＭセルをフィルタリングする。以上よりＯＮＵ１２から上位ネットワークポート１宛のＡＴＭセルが送信されることがなくなり、その帯域を他の上位ネットワークポート（図７では上位ネットワークポート２、３）宛のＡＴＭセル送信に使用することが可能となる。
【００５４】
このように、本実施の形態に係るＯＬＴは、上位ネットワーク状態を監視し、上位ネットワーク状態に基づいて上り方向のＡＴＭセル転送が不要なＶＰコネクションを判定し、ＰＬＯＡＭメッセージで上りＡＴＭセル転送不要のＶＰコネクションをＯＮＵに定周期で同報通知する機能を持つことを特徴とする。
【００５５】
このため、下り方向のユーザー帯域を使用せずにＯＮＵに転送不要のＶＰコネクションを通知することができる。
【００５６】
また本実施の形態に係るＯＮＵは、ＯＬＴから通知された上りＡＴＭセル転送不要のＶＰＩ値を記憶し、そのＶＰＩ値と一致したＡＴＭセルをフィルタリングして廃棄することを特徴とする。
【００５７】
このため、上り方向への不要なＡＴＭセル転送をなくすことができ、その分の上りユーザー帯域を他のＯＮＵが使用できる。
【図面の簡単な説明】
【００５８】
【図１】実施の形態１に係るＥｔｈｅｒｎｅｔ（登録商標）フレーム転送ネットワークシステムの全体構成を示す図。
【図２】実施の形態１に係るＯＬＴ及びＯＮＵの構成例を示す図。
【図３】実施の形態１に係るＦｉｌｔｅｒｉｎｇ  ＶＰＩ  ＰＬＯＡＭメッセージのフォーマットを示す図。
【図４】実施の形態１に係るＯＬＴの動作例を示す図。
【図５】実施の形態１に係るＯＮＵの動作例を示す図。
【図６】実施の形態１に係るＯＮＵの動作例を示す図。
【図７】実施の形態１に係るＯＬＴ及びＯＮＵの具体的な動作例を示す図。
【図８】従来の技術を説明する図。
【符号の説明】
【００５９】
１  ＰＯＮシステム、２  上位ネットワーク、３  ローカルエリアネットワーク、４  端末、１１  ＯＬＴ、１２  ＯＮＵ、１３  光スプリッタ、１１０１  Ｅｔｈｅｒｎｅｔ（登録商標）インタフェース部、１１０２  セル分解組立部、１１０３  ＶＩＤ／ＶＰＩ変換部、１１０４  ＡＴＭスイッチ部、１１０５  ＡＴＭ  ＰＯＮ終端部、１１０６  光送受信部、１１０７  上位ネットワーク状態監視部、１１０８  転送不要ＶＰＩ判定部、１１０９  Ｆｉｌｔｅｒｉｎｇ  ＶＰＩ  ＰＬＯＡＭメッセージ挿入部、１２０１  光送受信部、１２０２  ＡＴＭ  ＰＯＮ終端部、１２０３  セル分解組立部、１２０４  ＶＩＤ／ＶＰＩ変換部、１２０５  Ｅｔｈｅｒｎｅｔ（登録商標）インタフェース部、１２０６  ＶＰフィルタリング部、１２０７  フィルタリングＶＰＩ記憶部。
【図１】
2006186450.tif 000003
【図２】
2006186450.tif 000004
【図３】
2006186450.tif 000005
【図４】
2006186450.tif 000006
【図５】
2006186450.tif 000007
【図６】
2006186450.tif 000008
【図７】
2006186450.tif 000009
【図８】
2006186450.tif 000010